(57)【要約】      （修正有）【課題】セルの積層方向にセルスタックが伸張しても、エンドプレートに過剰な応力が作用しないセルスタック、およびセルスタックの設置構造の提供。【解決手段】複数のセルをその積層方向の両側から第一エンドプレート２１と第二エンドプレート２２とで締め付けてなるセルスタック２であって、第一エンドプレート２１に設けられ、第一エンドプレート２１を設置対象面９に不動に固定する固定取付脚３と、第二エンドプレート２２に設けられ、第二エンドプレート２２を、前記積層方向に移動可能な状態で設置対象面９に取り付ける可動取付脚４と、を備えるセルスタック２。可動取付脚４が、前記積層方向に延びる長穴を形成された長孔形成部と、前記長孔に貫通される貫通材が取付けられた貫通材取付部と、を備えるセルスタック２。【選択図】図３
2019029105.tif 000002
【特許請求の範囲】
【請求項１】
複数のセルをその積層方向の両側から第一エンドプレートと第二エンドプレートとで締め付けてなるセルスタックであって、
前記第一エンドプレートに設けられ、前記第一エンドプレートを設置対象面に不動に固定する固定取付脚と、
前記第二エンドプレートに設けられ、前記第二エンドプレートを、前記積層方向に移動可能な状態で前記設置対象面に取り付ける可動取付脚と、を備えるセルスタック。
【請求項２】
前記可動取付脚は、
前記積層方向に延びる長穴が形成された長孔形成部と、
前記長孔に貫通される貫通材が取り付けられた貫通材取付部と、を備える請求項１に記載のセルスタック。
【請求項３】
前記第二エンドプレートは、その幅方向の両側端面から前記幅方向の外側に向って突出する張出部を有し、
前記張出部が、前記長孔形成部であり、
前記設置対象面の一部が、前記貫通材取付部である請求項２に記載のセルスタック。
【請求項４】
前記第二エンドプレートは、その幅方向の両側端面から前記幅方向の外側に向って突出する張出部を有し、
前記張出部と前記設置対象面との間に介在される架台を備え、
前記張出部が、前記長孔形成部であり、
前記架台が、前記貫通材取付部である請求項２に記載のセルスタック。
【請求項５】
前記第二エンドプレートは、その幅方向の両側端面から前記幅方向の外側に向って延びる張出部を有し、
前記張出部と前記設置対象面との間に介在される架台を備え、
前記架台が、前記長孔形成部であり、
前記設置対象面の一部が、前記貫通材取付部である請求項２に記載のセルスタック。
【請求項６】
前記長孔形成部と前記貫通材取付部との接触箇所に摩擦低減材を有する請求項２から請求項５のいずれか１項に記載のセルスタック。
【請求項７】
複数のセルをその積層方向の両側から第一エンドプレートと第二エンドプレートとで締め付けてなるセルスタックを設置対象面に設置するセルスタックの設置構造であって、
前記セルスタックは、請求項１から請求項６のいずれか１項に記載のセルスタックであり、前記固定取付脚を前記設置対象面に不動に固定し、前記可動取付脚を前記積層方向に移動可能な状態で前記設置対象面に取り付けてなるセルスタックの設置構造。
【発明の詳細な説明】
【技術分野】
【０００１】
本発明は、セルスタック、およびセルスタックの設置構造に関するものである。
【背景技術】
【０００２】
特許文献１には、電解液循環型の蓄電池の一つとしてレドックスフロー電池が開示されている。このレドックスフロー電池は、複数のセルをその積層方向の両側から第一エンドプレートと第二エンドプレートとで締め付けてなるセルスタックを備える。
【先行技術文献】
【特許文献】
【０００３】
【特許文献１】特開２０１５−７９７３８号公報
【発明の概要】
【発明が解決しようとする課題】
【０００４】
上記セルスタックを設置対象面に設置する際、第一エンドプレートの下部と第二エンドプレートの下部を設置対象面に不動に固定することが一般的である。ここで、セルスタック内に電解液が循環されたり、セルスタックの構成部材が熱膨張したりすると、セルの積層方向にセルスタックが伸張する。このとき、両エンドプレートの下部が固定されていると、両エンドプレートの下方側では両エンドプレート間の距離が変わらないにも関わらず、上方側では両エンドプレート間の距離が開いてしまう。その結果、エンドプレートに過剰な応力が作用し、エンドプレートが損傷する恐れがある。
【０００５】
本開示は、セルの積層方向にセルスタックが伸張しても、エンドプレートに過剰な応力が作用しないセルスタック、およびセルスタックの設置構造を提供することを目的の一つとする。
【課題を解決するための手段】
【０００６】
本開示のセルスタックは、
複数のセルをその積層方向の両側から第一エンドプレートと第二エンドプレートとで締め付けてなるセルスタックであって、
前記第一エンドプレートに設けられ、前記第一エンドプレートを設置対象面に不動に固定する固定取付脚と、
前記第二エンドプレートに設けられ、前記第二エンドプレートを、前記積層方向に移動可能な状態で前記設置対象面に取り付ける可動取付脚と、を備える。
【０００７】
本開示のセルスタックの設置構造は、
複数のセルをその積層方向の両側から第一エンドプレートと第二エンドプレートとで締め付けてなるセルスタックを設置対象面に設置するセルスタックの設置構造であって、
前記セルスタックは、本開示のセルスタックであり、前記固定取付脚を前記設置対象面に不動に固定し、前記可動取付脚を前記積層方向に移動可能な状態で前記設置対象面に取り付けてなる。
【発明の効果】
【０００８】
本開示のセルスタック、およびセルスタックの設置構造では、セルの積層方向にセルスタックが伸張しても、エンドプレートに過剰な応力が作用しない。
【図面の簡単な説明】
【０００９】
【図１】レドックスフロー電池の動作原理を説明する図である。
【図２】複数のセルを積層してなるセルスタックの概略構成図である。
【図３】実施形態１に係るセルスタックを、セルの積層方向に直交する方向から見た正面図である。
【図４】実施形態１に係るセルスタックを図３の紙面左側から見た側面図である。
【図５】実施形態１のセルスタックに備わる固定取付脚の概略上面図である。
【図６】図５のＶＩ−ＶＩ断面図である。
【図７】実施形態１のセルスタックに備わる可動取付脚の概略上面図である。
【図８】図７のＶＩＩＩ−ＶＩＩＩ断面図である。
【図９】実施形態２のセルスタックに備わる可動取付脚の概略上面図である。
【図１０】図９のＸ−Ｘ断面図である。
【図１１】実施形態３のセルスタックに備わる可動取付脚の部分縦断面図である。
【発明を実施するための形態】
【００１０】
［本願発明の実施形態の説明］
最初に本願発明の実施形態の内容を列記して説明する。
【００１１】
＜１＞実施形態に係るセルスタックは、
複数のセルをその積層方向の両側から第一エンドプレートと第二エンドプレートとで締め付けてなるセルスタックであって、
前記第一エンドプレートに設けられ、前記第一エンドプレートを設置対象面に不動に固定する固定取付脚と、
前記第二エンドプレートに設けられ、前記第二エンドプレートを、前記積層方向に移動可能な状態で前記設置対象面に取り付ける可動取付脚と、を備える。
【００１２】
上記構成によれば、セルの積層体が膨張したときに、可動取付脚が第二エンドプレートを積層方向に移動させる。第二エンドプレートが積層方向に移動できることで、セルスタックの上方側と下方側とで第一エンドプレートと第二エンドプレートとの間の距離に極端な差ができ難いため、両エンドプレートに過剰な応力が作用することを抑制できる。
【００１３】
＜２＞実施形態に係るセルスタックの一形態として、
前記可動取付脚は、
前記積層方向に延びる長穴が形成された長孔形成部と、
前記長孔に貫通される貫通材が取り付けられた貫通材取付部と、を備える形態を挙げることができる。
【００１４】
長穴形成部は、第二エンドプレートの一部、あるいは第二エンドプレートと設置対象面との間にある部材で構成することができる。また、貫通材取付部は、長孔形成部とは別部材であって、第二エンドプレートと設置対象面との間にある部材、あるいは設置対象面の一部で構成することができる。貫通材は、長孔を貫通できる長尺体であれば良く、単なる棒状体でも良いし、後述する実施形態に示すようにボルトでも良い。この長孔形成部と貫通材取付部との組合せによる可動取付脚は単純な構造であるため、容易に構築することができ、故障し難いという利点を備える。
【００１５】
＜３＞長孔形成部と貫通材取付部とを備える実施形態に係るセルスタックの一形態として、
前記第二エンドプレートは、その幅方向の両側端面から前記幅方向の外側に向って突出する張出部を有し、
前記張出部が、前記長孔形成部であり、
前記設置対象面の一部が、前記貫通材取付部である形態を挙げることができる。
【００１６】
上記構成に示すように、設置対象面の一部を貫通材取付部として利用することで、セルスタックの構成部材を少なくすることができる。
【００１７】
＜４＞長孔形成部と貫通材取付部とを備える実施形態に係るセルスタックの一形態として、
前記第二エンドプレートは、その幅方向の両側端面から前記幅方向の外側に向って突出する張出部を有し、
前記張出部と前記設置対象面との間に介在される架台を備え、
前記張出部が、前記長孔形成部であり、
前記架台が、前記貫通材取付部である形態を挙げることができる。
【００１８】
上記構成によれば設置対象面がセルスタックとの摺接面となることがなく、設置対象面の損傷を抑制できる。
【００１９】
＜５＞長孔形成部と貫通材取付部とを備える実施形態に係るセルスタックの一形態として、
前記第二エンドプレートは、その幅方向の両側端面から前記幅方向の外側に向って延びる張出部を有し、
前記張出部と前記設置対象面との間に介在される架台を備え、
前記架台が、前記長孔形成部であり、
前記設置対象面の一部が、前記貫通材取付部である形態を挙げることができる。
【００２０】
上記構成によれば張出部が架台との摺接面となることがなく、張出部の損傷を抑制できる。
【００２１】
＜６＞長孔形成部と貫通材取付部とを備える実施形態に係るセルスタックの一形態として、
前記長孔形成部と前記貫通材取付部との接触箇所に摩擦低減材を有する形態を挙げることができる。
【００２２】
上記構成によれば、長孔形成部と貫通材取付部との相対的な移動を円滑にすることができる。摩擦低減材としては、例えば、ポリアミド樹脂（ＭＣナイロン（登録商標））やフッ素樹脂（テフロン（登録商標））、あるいはポリアセタール樹脂、ポリフェニレンスルフィド樹脂などの樹脂を利用することができる。
【００２３】
実施形態に係るセルスタックの設置構造は、
複数のセルをその積層方向の両側から第一エンドプレートと第二エンドプレートとで締め付けてなるセルスタックを設置対象面に設置するセルスタックの設置構造であって、
前記セルスタックは、実施形態に係るセルスタックであり、前記固定取付脚を前記設置対象面に不動に固定し、前記可動取付脚を前記積層方向に移動可能な状態で前記設置対象面に取り付けてなる。
【００２４】
実施形態に係るセルスタックを用いたセルスタックの設置構造によれば、セルの積層体が膨張したときに、可動取付脚が第二エンドプレートを積層方向に移動させる。第二エンドプレートが積層方向に移動できることで、セルスタックの上方側と下方側とで第一エンドプレートと第二エンドプレートとの間の距離に極端な差ができ難いため、両エンドプレートに過剰な応力が作用することを抑制できる。
【００２５】
［本願発明の実施形態の詳細］
以下、実施形態に係るセルスタック、およびセルスタックの設置構造を説明する。なお、本発明は実施形態に示される構成に限定されるわけではなく、特許請求の範囲によって示され、特許請求の範囲と均等の意味および範囲内の全ての変更が含まれることを意図する。
【００２６】
＜実施形態１＞
実施形態１では、レドックスフロー電池（以下、ＲＦ電池）に備わるセルスタックとその設置構造を例にして説明を行なう。セルスタックとその設置構造の説明に先立ち、ＲＦ電池１００の基本構成と、ＲＦ電池１００に備わるセルスタック２００の基本構成を図１，２に基づいて説明する。なお、図２はあくまでセルスタックの基本構造を説明するための概略図であって、実施形態のセルスタックとは若干異なる。
【００２７】
≪ＲＦ電池の基本構成≫
図１に基づいてＲＦ電池１００の動作原理を説明する。ＲＦ電池１００は、水素イオンを透過させる隔膜１０１で正極セル１０２と負極セル１０３とに分離されたセル１００Ｃを備える。正極セル１０２には正極電極１０４が内蔵され、かつ正極用電解液を貯留する正極電解液用タンク１０６が導管１０８，１１０を介して接続されている。導管１０８にはポンプ１１２が設けられており、これら部材１０６，１０８，１１０，１１２によって正極用電解液を循環させる正極用循環機構１００Ｐが構成されている。同様に、負極セル１０３には負極電極１０５が内蔵され、かつ負極用電解液を貯留する負極電解液用タンク１０７が導管１０９，１１１を介して接続されている。導管１０９にはポンプ１１３が設けられており、これらの部材１０７，１０９，１１１，１１３によって負極用電解液を循環させる負極用循環機構１００Ｎが構成されている。各タンク１０６，１０７に貯留される電解液は、充放電の際にポンプ１１２，１１３によりセル１０２，１０３内に循環される。充放電を行なわない場合、ポンプ１１２，１１３は停止され、電解液は循環されない。
【００２８】
≪セルスタックの基本構成≫
上記セル１００Ｃは通常、図２に示すような、セルスタック２００と呼ばれる構造体の内部に形成される。セルスタック２００は、サブスタック２００ｓと呼ばれる積層構造物をその両側から二枚のエンドプレート２１０，２２０で挟み込み、締付機構２３０で締め付けることで構成されている（図示する構成では、複数のサブスタック２００ｓを用いている）。サブスタック２００ｓは、図２の上図に示すように、セルフレーム１２０、正極電極１０４、隔膜１０１、負極電極１０５、およびセルフレーム１２０で構成されるセルユニットを積層し、その積層体を給排板１９０，１９０（図２の下図参照）で挟み込んだ構成を備える。セルユニットに備わるセルフレーム１２０は、貫通窓を有する枠体１２２と貫通窓を塞ぐ双極板１２１とを有しており、双極板１２１の一面側には正極電極１０４が接触するように配置され、双極板１２１の他面側には負極電極１０５が接触するように配置される。この構成では、隣接する各セルフレーム１２０の双極板１２１の間に一つのセル１００Ｃが形成されることになる。
【００２９】
給排板１９０，１９０を介したセル１００Ｃへの電解液の流通は、枠体１２２に形成される給液用マニホールド１２３，１２４と、排液用マニホールド１２５，１２６により行われる。正極用電解液は、給液用マニホールド１２３から枠体１２２の一面側（紙面表側）に形成される入口スリットを介して正極電極１０４に供給され、枠体１２２の上部に形成される出口スリットを介して排液用マニホールド１２５に排出される。同様に、負極用電解液は、給液用マニホールド１２４から枠体１２２の他面側（紙面裏側）に形成される入口スリット（点線で示す）を介して負極電極１０５に供給され、枠体１２２の上部に形成される出口スリット（点線で示す）を介して排液用マニホールド１２６に排出される。各セルフレーム１２０間には、Ｏリングや平パッキンなどの環状のシール部材１２７が配置され、サブスタック２００ｓからの電解液の漏れが抑制されている。
【００３０】
≪セルスタックの設置構造≫
次に、実施形態に係るセルスタック２、およびセルスタックの設置構造１を図３〜図８に基づいて説明する。図３，５−８の上部にある両端矢印は、セルの積層方向を示している。このセルスタックの設置構造１は、固定取付脚３と可動取付脚４とを有するセルスタック２を設置対象面９に取り付けてなる。
【００３１】
図３，４に示すセルスタック２の電池反応に関与する部分の構成は、図２を参照して説明した従来のセルスタック２００とほぼ同様である。セルスタック２００の構成部材と同一の機能を有する部材については、セルスタック２００の構成部材と同一の符号を付して詳しい説明を省略する。
【００３２】
既に説明したように、セルスタック２は、複数のセルを積層して給排板１９０で挟み込んだサブスタック２００ｓをさらに複数積層して形成されている。複数のサブスタック２００ｓは、第一エンドプレート２１と第二エンドプレート２２とで挟み込まれ、締め付けられている。両エンドプレート２１，２２を締め付ける締付機構２３０のうち、第二エンドプレート２２の外側には、第二エンドプレート２２を第一エンドプレート２１に向って付勢する付勢部材２３１が設けられている。本例の付勢部材２３１は、第二エンドプレート２２に貫通される棒材に設けられるナットと、ナットに当て止めされ、第二エンドプレート２２を押圧する圧縮バネとで構成されている。
【００３３】
［固定取付脚］
第一エンドプレート２１の下部に設けられる固定取付脚３を、主として図５，６を参照して説明する。図５は、図３の固定取付脚３の上面図、図６は、図５のＶＩ−ＶＩ断面図である。
【００３４】
固定取付脚３は、第一エンドプレート２１に一体に設けられる張出部３０と、張出部３０と設置対象面９（図６）との間に介在される架台３１と、で構成されている。張出部３０は、第一エンドプレート２１の幅方向（図３の紙面奥行き方向）の両側端面のうち、鉛直下方側の部分から当該幅方向の外側に向って張り出す左右一対の部材である。張出部３０の全体形状は、後述する可動取付脚４の張出部４０と同じである。
【００３５】
張出部３０は、第一エンドプレート２１の厚み方向に離隔する一対の壁部３０ｗと、その二枚の壁部３０ｗの下端を繋ぐ底板部３０ｄと、で構成されている。壁部３０ｗをセルの積層方向から見たときの形状は、図４に示す可動取付脚４の張出部４０と同じ直角三角形状となっている。底板部３０ｄには、後述するボルト３０ｂを貫通させる二つのボルト孔が、第一エンドプレート２１の幅方向に並んでいる（図５参照）。
【００３６】
架台３１は、図６に示すように、張出部３０に当接する接触部３１Ａと、架台本体３１Ｂと、ベース部３１Ｃと、で構成される。接触部３１Ａは、クッションの役目を持っており、張出部３０を損傷しないように樹脂で構成することが好ましい。例えば、ポリアミド樹脂（ＭＣナイロン（登録商標））やフッ素樹脂（テフロン（登録商標））、あるいはポリアセタール樹脂、ポリフェニレンスルフィド樹脂などの絶縁性樹脂で構成することができる。架台本体３１Ｂは、設置対象面９からのセルスタック２の高さを調節する部材である。ベース部３１Ｃは、セルスタック２の荷重を分散させる板状部材であって、例えば一般構造用の鉄鋼材（ＳＳ材）などで構成することができる。
【００３７】
固定取付脚３では、張出部３０がボルト３０ｂによって架台３１に固定され、架台３１がボルト３１ｂによって設置対象面９に固定されている。従って、第一エンドプレート２１が、設置対象面９に不動に固定されたセルスタックの設置構造１となる。
【００３８】
［可動取付脚］
第二エンドプレート２２の下部に設けられる可動取付脚４を、主として図７，８を参照して説明する。図７は、図３の可動取付脚４の上面図、図８は、図７のＶＩＩＩ−ＶＩＩＩ断面図である。
【００３９】
可動取付脚４は、第二エンドプレート２２に一体に設けられる張出部４０と、張出部４０と設置対象面９（図８）との間に介在される架台４１と、で構成されている。張出部４０は、第二エンドプレート２２の幅方向（図３の紙面奥行き方向、図４の左右方向）の両側端面のうち、鉛直下方側の部分から当該幅方向の外側に向って張り出す左右一対の部材である。
【００４０】
張出部４０は、第二エンドプレート２２の厚み方向に離隔する一対の壁部４０ｗと、その二枚の壁部４０ｗの下端を繋ぐ底板部４０ｄと、で構成されている。壁部４０ｗをセルの積層方向から見たときの形状は、図４に示すように直角三角形状となっている。この張出部４０の底板部４０ｄには、後述するボルト４０ｂを貫通させる二つの長孔４０ｈが、第一エンドプレート２１の幅方向に並んでいる（図７参照）。長孔４０ｈは、セルの積層方向（上部の矢印参照）に向って伸びている。
【００４１】
架台４１は、図８に示すように、張出部４０に当接する接触部４１Ａと、架台本体４１Ｂと、ベース部４１Ｃと、で構成される。接触部４１Ａ，架台本体４１Ｂ、およびベース部４１Ｃはそれぞれ、図５，６を参照して説明した固定取付脚３の架台３１と同様に構成することができる。
【００４２】
可動取付脚４では、架台４１はボルト４１ｂによって設置対象面９に不動に固定されている。一方、架台４１に対する張出部４０の取付けは、張出部４０の長孔４０ｈに貫通されるボルト４０ｂ（貫通材）によって行なわれている。ボルト４０ｂの先端は架台４１に螺合されているが、ボルト４０ｂのヘッドは底板部４０ｄの上面に接触せず上面から離れた位置に配置されている。つまり、張出部４０は架台４１上に載っているが、固定されてはいない状態になっている。そのため、本例のセルスタックの設置構造１では、長孔４０ｈを有する張出部４０（長孔形成部）が、ボルト４０ｂ（貫通材）を有する架台４１（貫通材取付部）に対して長孔４０ｈの延伸方向（セルの積層方向）に移動することができる。
【００４３】
ここで、第二エンドプレート２２の幅方向（図７の紙面上下方向）への張出部４０の移動は、長孔４０ｈの内周面がボルト４０ｂの外周面に当たることで規制されている。また、ボルト４０ｂのヘッドの径が長孔４０ｈの幅よりも大きくなっているため、ヘッドの下面が当て止めとなって、張出部４０が架台４１から外れないようになっている。
【００４４】
≪効果≫
以上説明したセルスタック２およびセルスタックの設置構造１によれば、図３に示すように、セルの積層体が膨張したときに、可動取付脚４が第二エンドプレート２２をセルの積層方向に移動させる。第二エンドプレート２２が積層方向に移動できることで、セルスタック２の上方側と下方側とで第一エンドプレート２１と第二エンドプレート２２との間の距離に極端な差ができ難いため、両エンドプレート２１，２２に過剰な応力が作用することを抑制できる。
【００４５】
＜実施形態２＞
実施形態２では、実施形態１とは異なる可動取付脚を備えるセルスタックとその設置構造の一例を説明する。本例のセルスタックは、可動取付脚以外の構成は実施形態１と同じであるため、本例では図９，１０に基づいて可動取付脚５のみを説明する。図９，１０の見方は、実施形態１の図７，８と同様である。
【００４６】
本例の可動取付脚５も、張出部５０と架台５１とを備える。張出部５０の構成は、実施形態１の張出部４０（図７，８）と同様に、一対の壁部５０ｗと底板部５０ｄとを備える構成である。但し、底板部５０ｄには長孔ではなく丸孔が形成されている点で、本例の張出部５０は実施形態１の張出部４０と異なる。
【００４７】
図１０に示す本例の架台５１は、実施形態１の架台４１（図８）と同様に、接触部５１Ａ、架台本体５１Ｂ、およびベース部５１Ｃを備える構成である。但し、本例の架台５１では、ベース部５１Ｃに一対の長孔５１ｈが設けられている（図９，１０）。本例の長孔５１ｈは、実施形態１の図７の長孔４０ｈと同形状であるが、同じ機能を発揮できる形状、例えば切欠き形状などであっても良い。
【００４８】
本例の可動取付脚５では、張出部５０がボルト５０ｂによって架台５１に不動に固定されている。一方、設置対象面９に対する架台５１の取付けは、ベース部５１Ｃの長孔５１ｈに貫通されるボルト５１ｂによって行なわれている。ボルト５１ｂの先端は設置対象面９に螺合されているが、ボルト５１ｂのヘッドはベース部５１Ｃの上面を強く締め付けてはいない。つまり、架台５１は設置対象面９に載っているが、固定されてはいない状態になっている。そのため、長孔５１ｈが形成された架台５１（長孔形成部）は、ボルト５１ｂ（貫通材）を有する設置対象面９（貫通材取付部）に対して長孔５１ｈの延伸方向（セルの積層方向）に移動することができる。
【００４９】
ここで、第二エンドプレート２２の幅方向（図９の紙面上下方向）への張出部５０の移動は、長孔５１ｈの内周面がボルト５１ｂの外周面に当たることで規制されている。また、ボルト５１ｂのヘッドの径、およびボルト５１ｂとベース部５１Ｃとの間に介在されるワッシャの径が、長孔５１ｈの幅よりも大きくなっているため、ヘッドの下面とワッシャが当て止めとなって、架台５１が設置対象面９から外れないようになっている。
【００５０】
＜実施形態３＞
実施形態３では、架台を用いないセルスタックとその設置構造の一例を説明する。本例では、可動取付脚６の説明のみを図１１に基づいて行なう。図１１の見方は、図８，１０と同じである。
【００５１】
図１１に示すように、本例の可動取付脚６は、第二エンドプレート２２に設けられる張出部６０を備える。張出部６０は、実施形態１，２と同様に、一対の壁部６０ｗと底板部６０ｄとを備える。底板部６０ｄには、セルの積層方向に延びる長孔６０ｈが形成されている。
【００５２】
可動取付脚６では、ボルト６０ｂによって張出部６０が直接、設置対象面９に取り付けられている。ボルト６０ｂは、長孔６０ｈを貫通し、設置対象面９に螺合されている。ボルト６０ｂのヘッドは底板部６０ｄの上面に接触せずに上面から離れた位置に配置されており、張出部６０は設置対象面９に載っているが、固定されてはいない状態になっている。そのため、長孔６０ｈが形成された張出部６０（長孔形成部）は、ボルト６０ｂ（貫通材）を有する設置対象面９（貫通材取付部）に対して長孔６０ｈの延伸方向（セルの積層方向）に移動することができる。
【００５３】
本例でも、第二エンドプレート２２の幅方向（図１１の紙面奥行き方向）への張出部６０の移動は、長孔６０ｈの内周面がボルト６０ｂの外周面に当たることで規制されている。また、ボルト６０ｂのヘッドの径が、長孔６０ｈの幅よりも大きくなっているため、ヘッドの下面が当て止めとなって、張出部６０が設置対象面９から外れないようになっている。
【符号の説明】
【００５４】
１  セルスタックの設置構造
２  セルスタック
２１  第一エンドプレート  ２２  第二エンドプレート
３  固定取付脚
３０  張出部
３０ｗ  壁部  ３０ｄ  底板部
３１  架台
３１Ａ  接触部  ３１Ｂ  架台本体  ３１Ｃ  ベース部
３０ｂ，３１ｂ  ボルト
４，５，６  可動取付脚
４０，５０，６０  張出部
４０ｗ，５０ｗ，６０ｗ  壁部  ４０ｄ，５０ｄ，６０ｄ  底板部
４１，５１  架台
４１Ａ，５１Ａ  接触部  ４１Ｂ，５１Ｂ  架台本体  ４１Ｃ，５１Ｃ  ベース部
４０ｈ，５１ｈ，６０ｈ  長孔
４０ｂ，５１ｂ，６０ｂ  ボルト（貫通材）
４１ｂ，５０ｂ  ボルト
９  設置対象面
１００  レドックスフロー電池（ＲＦ電池）
１００Ｃ  セル  １０１  隔膜  １０２  正極セル  １０３  負極セル
１００Ｐ  正極用循環機構  １００Ｎ  負極用循環機構
１０４  正極電極  １０５  負極電極  １０６  正極電解液用タンク
１０７  負極電解液用タンク  １０８，１０９，１１０，１１１  導管
１１２，１１３  ポンプ
１２０  セルフレーム  １２１  双極板  １２２  枠体
１２３，１２４  給液用マニホールド  １２５，１２６  排液用マニホールド
１２７  シール部材
１９０  給排板  ２１０，２２０  エンドプレート
２００  セルスタック  ２００ｓ  サブスタック
２３０  締付機構  ２３１  付勢部材
【図１】
2019029105.tif 000003
【図２】
2019029105.tif 000004
【図３】
2019029105.tif 000005
【図４】
2019029105.tif 000006
【図５】
2019029105.tif 000007
【図６】
2019029105.tif 000008
【図７】
2019029105.tif 000009
【図８】
2019029105.tif 000010
【図９】
2019029105.tif 000011
【図１０】
2019029105.tif 000012
【図１１】
2019029105.tif 000013